(57)【要約】【課題】両ハウジングの嵌合動作の円滑性を確保する。【解決手段】雌ハウジング４１には第１カムピン５２が形成され、ムービングプレート８０には第２カムピン８６が形成され、レバー７０にはカム溝７８が形成されている。第１、第２カムピン５２、８６が互いに合体した状態でレバー７０が雄ハウジング１１に対して変位することにより、前記合体状態にある第１、第２カムピン５２、８６がカム溝７８の溝面を摺動して、両ハウジング１１、４１の嵌合・離脱が行われる。両ハウジング１１、４１の嵌合過程では、第１カムピン５２のみがカム溝７８の往路側カム面７８Ｃを摺動し、両ハウジング１１、４１の離脱過程では、第２カムピン８６のみがカム溝７８の復路側カム面７８Ｄを摺動する。【選択図】図４
2011142050.tif 000002
【特許請求の範囲】
【請求項１】
雌端子金具を収容可能な雌ハウジングと、
前記雌ハウジングに嵌合可能とされ、内部に前記雌端子金具と接続可能な雄端子金具のタブが突出して配置されたフード部を有する雄ハウジングと、
前記雄ハウジングに対して変位可能に装着されるレバーと、
前記フード部内に移動可能に組み込まれ、前記タブを挿入可能な位置決め孔を有し、前記両ハウジングの嵌合に伴って前記フード部の奥側へ移動することにより、前記タブの前記位置決め孔から先方への突出量を増加させるムービングプレートとを備え、
前記雌ハウジングに第１カムピンが形成され、前記ムービングプレートに第２カムピンが形成され、前記レバーに前記第１、第２カムピンを受けるカム溝が形成されており、前記第１、第２カムピンが互いに合体した状態で前記レバーが前記雄ハウジングに対して変位することにより、前記合体状態にある第１、第２カムピンが前記カム溝の溝面を摺動して、前記両ハウジングの嵌合・離脱が行われるレバー式コネクタであって、
前記第１、第２カムピンが、互いに独立した軸心を有する形態とされ、
前記第１カムピンが、前記両ハウジングの嵌合過程で前記カム溝の往路側の溝面を摺動する位置に配置され、
前記第２カムピンが、前記両ハウジングの離脱過程で前記カム溝の復路側の溝面を摺動する位置に配置されていることを特徴とするレバー式コネクタ。
【請求項２】
前記往路側の溝面には、前記両ハウジングの嵌合過程で前記第１、第２カムピンのうち前記第１カムピンのみが摺動し、前記復路側の溝面には、前記両ハウジングの離脱過程で前記第１、第２カムピンのうち前記第２カムピンのみが摺動する請求項１記載のレバー式コネクタ。
【請求項３】
前記第１、第２カムピンが、前記合体状態において前記両ハウジングの嵌合・離脱方向で互いに面当たり可能なストレート面を有している請求項１又は２記載のレバー式コネクタ。
【請求項４】
前記カム溝が、有底の凹溝とされている請求項１ないし３のいずれか１項記載のレバー式コネクタ。
【発明の詳細な説明】
【技術分野】
【０００１】
本発明は、レバー式コネクタに関する。
【背景技術】
【０００２】
特許文献１には従来のレバー式コネクタが開示されている。これは、互いに嵌合可能な雌雄一対のハウジングと、雄ハウジングに回動可能に装着されるレバーと、雄ハウジングのフード部内に移動可能に組み込まれるムービングプレートとを備えている。フード部内には雄端子金具のタブが突出して配置され、タブはムービングプレートの位置決め孔に挿入されている。ムービングプレートには、門型枠状のカムフォロアが形成され、雌側ハウジングには、カムフォロア内に挿入可能な柱状のカムピンが形成されている。また、レバーにはカム溝が形成されている。
【０００３】
両ハウジングを浅く嵌合させると、カムピンがカム溝の入り口に進入してカムフォロアと合体する。その状態で、レバーを嵌合位置へ向けて回動させると、合体状態にあるカムピンとカムフォロアがカム溝の往路側の溝面を摺動し、これによって両ハウジングが低操作力で嵌合される。また、かかるカムフォロアの変位動作に伴い、ムービングプレートがフード部の奥側へ後退して、タブの位置決め孔から先方への突出量が増加するとともに、雌雄の両端子金具が互いに接続される。一方、レバーを戻り方向へ回動させると、合体状態にあるカムピンとカムフォロアがカム溝の復路側の溝面を摺動し、これによって両ハウジングが互いに離脱されるようになっている。
【先行技術文献】
【特許文献】
【０００４】
【特許文献１】特開平１１−６７３３８号公報
【発明の概要】
【発明が解決しようとする課題】
【０００５】
ところで、上記従来のレバー式コネクタでは、カムフォロアがカム溝の往路側と復路側の両溝面に跨って配置され、その間にカムピンが配置される構成であった。このため、例えば、両ハウジングの嵌合過程で、カム溝の傾斜角が大きくなったときに、カム溝の往路側の溝面にカムフォロアのみが接触しカムピンが接触しない状態になることがあった。そうすると、雌ハウジングの雄ハウジング側への引き込み力が消失して、両ハウジングの嵌合動作が進まなくなるおそれがあった。
【０００６】
本発明は上記のような事情に基づいて完成されたものであって、両ハウジングの嵌合動作の円滑性を確保することを目的とする。
【課題を解決するための手段】
【０００７】
上記の目的を達成するための手段として、請求項１の発明は、雌端子金具を収容可能な雌ハウジングと、前記雌ハウジングに嵌合可能とされ、内部に前記雌端子金具と接続可能な雄端子金具のタブが突出して配置されたフード部を有する雄ハウジングと、前記雄ハウジングに対して変位可能に装着されるレバーと、前記フード部内に移動可能に組み込まれ、前記タブを挿入可能な位置決め孔を有し、前記両ハウジングの嵌合に伴って前記フード部の奥側へ移動することにより、前記タブの前記位置決め孔から先方への突出量を増加させるムービングプレートとを備え、前記雌ハウジングに第１カムピンが形成され、前記ムービングプレートに第２カムピンが形成され、前記レバーに前記第１、第２カムピンを受けるカム溝が形成されており、前記第１、第２カムピンが互いに合体した状態で前記レバーが前記雄ハウジングに対して変位することにより、前記合体状態にある第１、第２カムピンが前記カム溝の溝面を摺動して、前記両ハウジングの嵌合・離脱が行われるレバー式コネクタであって、前記第１、第２カムピンが、互いに独立した軸心を有する形態とされ、前記第１カムピンが、前記両ハウジングの嵌合過程で前記カム溝の往路側の溝面を摺動する位置に配置され、前記第２カムピンが、前記両ハウジングの離脱過程で前記カム溝の復路側の溝面を摺動する位置に配置されているところに特徴を有する。
【０００８】
請求項２の発明は、請求項１に記載のものにおいて、前記往路側の溝面には、前記両ハウジングの嵌合過程で前記第１、第２カムピンのうち前記第１カムピンのみが摺動し、前記復路側の溝面には、前記両ハウジングの離脱過程で前記第１、第２カムピンのうち前記第２カムピンのみが摺動するところに特徴を有する。
【０００９】
請求項３の発明は、請求項１又は２に記載のものにおいて、前記第１、第２カムピンが、前記合体状態において前記両ハウジングの嵌合・離脱方向で互いに面当たり可能なストレート面を有しているところに特徴を有する。
【００１０】
請求項４の発明は、請求項１ないし３のいずれか１項に記載のものにおいて、前記カム溝が、有底の凹溝とされているころに特徴を有する。
【発明の効果】
【００１１】
＜請求項１の発明＞
雌ハウジングに第１カムピンが形成され、ムービングプレートに第２カムピンが形成され、第１、第２カムピンが互いに独立した軸心を有する形態とされ、第１カムピンが両ハウジングの嵌合過程でカム溝の往路側の溝面を摺動する位置に配置され、第２カムピンが両ハウジングの離脱過程でカム溝の復路側の溝面を摺動する位置に配置されているため、両ハウジングの嵌合過程では、第１カムピンとカム溝の往路側の溝面との接触状態が確実に保たれ、両ハウジングの離脱過程では、第２カムピンとカム溝の復路側の溝面との接触状態が確実に保たれる。したがって、両ハウジングの嵌合過程では雌ハウジングが雄ハウジングへ確実に引き寄せられ、両ハウジングの嵌合動作の円滑性が確保される。また、両ハウジングの離脱過程では雌ハウジングが雄ハウジングから確実に引き離され、両ハウジングの離脱動作の円滑性が確保される。
【００１２】
＜請求項２の発明＞
往路側の溝面には両ハウジングの嵌合過程で第１カムピンのみが摺動するため、雌ハウジングが雄ハウジングへより確実に引き寄せられる。また、復路側の溝面には両ハウジングの嵌合過程で第２カムピンのみが摺動するため、雌ハウジングが雄ハウジングからより確実に引き離される。
【００１３】
＜請求項３の発明＞
第１、第２カムピンが合体状態において両ハウジングの嵌合・離脱方向で互いに面当たり可能なストレート面を有しているから、第１、第２カムピン全体として嵌合・離脱方向に大きくなるのが回避される。その結果、第１、第２カムピンを受けるカム溝の溝幅が大きくなるのも回避され、ひいてはレバーの強度が脆弱になるのが防止される。
【００１４】
＜請求項４の発明＞
カム溝が有底の凹溝とされているから、レバーの強度が脆弱になるのがより確実に防止される。
【図面の簡単な説明】
【００１５】
【図１】本発明の実施形態１に係るレバー式コネクタにおいて、嵌合状態にある両コネクタの断面図である。
【図２】嵌合前の両コネクタの一部破断側面図である。
【図３】浅く嵌合された両コネクタの一部破断側面図である。
【図４】嵌合過程の両コネクタの一部破断側面図である。
【図５】正規嵌合された両コネクタの一部破断側面図である。
【図６】雄コネクタの側面図である。
【図７】雄コネクタの正面図である。
【図８】雄コネクタの平面図である。
【図９】雌コネクタの正面図である。
【図１０】実施形態２に係るレバー式コネクタの要部拡大断面図である。
【発明を実施するための形態】
【００１６】
＜実施形態１＞
本発明の実施形態１を図１ないし図９によって説明する。実施形態１に係るレバー式コネクタは、互いに嵌合・離脱可能な雌雄一対のコネクタ１０、４０からなる。雌コネクタ４０は、雌ハウジング４１及び雌端子金具９０を備える。雄コネクタ１０は、雄ハウジング１１、レバー７０、ムービングプレート８０、及び雄端子金具１００を備える。なお、以下の説明では、両コネクタ１０、４０の相互の嵌合面側を前方とする。
【００１７】
雌ハウジング４１は合成樹脂製であって、図２及び図９に示すように、雌ハウジング本体４２を有している。雌ハウジング本体４２は、角枠状のケース部４３と、ケース部４３の下面の幅方向中央部に沿いつつ前方へ突出する角ブロック状のタワー部４４とからなる。これにより、タワー部４４は、ケース部４３よりも幅狭で、かつケース部４３よりも前後長が長くなっている。ケース部４３には、上下一対の雌サブハウジング収容部４５が前後方向に貫通して形成されている。ケース部４３における両雌サブハウジング収容部４５間には、両雌サブハウジング収容部４５を仕切る隔壁４６が幅方向に架け渡して形成されている。
【００１８】
両雌サブハウジング収容部４５内には、後方から雌サブハウジング４７が挿入される。雌サブハウジング４７の両側面の上端部にはハウジングロック部４８が形成され、雌サブハウジング収容部４５の両側内面の上端部にはハウジングロック受け部４９が形成されており、ハウジングロック部４８がハウジングロック受け部４９を弾性的に係止することにより、雌サブハウジング４７が雌サブハウジング収容部４５内に抜け止めされて固定されるようになっている。このとき、雌サブハウジング４７の略前半部は、雌ハウジング本体４２の前面から前方へ突出して配置され、その前端がタワー部４４の前端とほぼ同じ位置に揃えられる。なお、両雌サブハウジング４７は互いに同形同大とされている。
【００１９】
雌サブハウジング４７及びタワー部４４には、複数のキャビティ５０が整列して形成されている。各キャビティ５０の内壁の下面には、撓み可能なランス５１が突出して形成されている。各キャビティ５０内には後方から雌端子金具９０が挿入され、正規挿入された雌端子金具９０がランス５１によって弾性的に係止される。
【００２０】
雌端子金具９０は導電性の金属板を曲げ加工等して一体に成形され、筒状の接続部９１と接続部９１の後方に連なるバレル部９２とを有している。接続部９１内には前方から雄端子金具１００のタブ１０２が挿入されて接続可能とされている。バレル部９２は電線９５の端末部にかしめ付けして接続されている。雌端子金具９０がキャビティ５０内に挿入されると、電線９５が雌ハウジング４１の後面から後方へ引き出されるようになっている。
【００２１】
雌ハウジング本体４２の両側面には、左右一対の第１カムピン５２が突出して形成されている。第１カムピン５２は、円柱形であって幅方向に沿った軸心を有し、ケース部４３の両側面の前端で、かつ隔壁４６と対応する高さ位置となるケース部４３の上下方向中央部に配置されている。また、ケース部４３の両側面の上端部には、左右一対のガイドリブ５３が前後方向に延出して形成されている。ガイドリブ５３の突出量は、第１カムピン５２の突出量よりも小さくされている。
【００２２】
雄ハウジング１１は合成樹脂製であって、図１及び図７に示すように、角枠状の雄ハウジング本体１２と、雄ハウジング本体１２の前端周縁から前方へ突出する角筒状のフード部１３とを有している。雄ハウジング本体１２の下端部には、その上側領域との間に左右一対の段差部１４を介することで幅狭とされるブロック部１５が形成されている。段差部１４は、前後方向に延びてフード部１３の下端部に連続して形成されている。この段差部１４によって区画されたフード部１３の下端部には、幅狭部１６が、ブロック部１５と対応して形成されている。
【００２３】
雄ハウジング本体１２の外周面の後端部には、縦長円環状のフランジ部１７が張り出して形成されている。フランジ部１７の上部には、雄ハウジング本体１２の上面との間に、窓部１８が切り欠いて形成されている。
【００２４】
雄ハウジング本体１２の上面には、窓部１８内に貫通して配置されたロックアーム１９が突出して形成されている。ロックアーム１９は、雄ハウジング本体１２の後端から立ち上がったあと前方へ向けて片持ち状に延びる形態とされ、その根元部分を支点として上下方向に撓み変形可能とされている。ロックアーム１９の幅方向中央部には、前後方向に延びて後端に開口するロック溝２０が形成されている。また、ロックアーム１９の前後方向中間部には、解除操作部２１が一段高く形成されている。解除操作部２１は、幅方向に延びてロック溝２０上に架け渡された形態とされている。かかるロックアーム１９は、後述するレバーロック部７６に係止可能とされ、また解除操作部２１を下方へ押圧することによってレバーロック部７６との係止状態を解除可能とされている。
【００２５】
そして、フランジ部１７の上部前面には、図８に示すように、ロックアーム１９の周囲を取り囲む保護部２２が前方へ突出して形成されている。保護部２２の両側には、撓み可能な左右一対のパネルロック部２３が切り欠いて形成されている。パネルロック部２３はまた雄ハウジング本体１２の下端部にも対をなして形成されている。ここで、雄コネクタ１０は、パネル２００に形成された取付孔２１０に後方から挿入される。このとき、パネルロック部２３がパネル２００の裏面側（自動車に適用される場合には車体の内側）を弾性的に係止するとともに、フランジ部１７がパネルロック部２３との間にパネル２００を挟持することにより、雄コネクタ１０がパネル２００に取り付けられるようになっている。
【００２６】
保護部２２の上部前縁には、平面視略矩形の凹所２４が切り欠いて形成されている。凹所２４には、レバーロック部７６が進入可能とされ、また、ここを通してロックアーム１９の前端部を目視可能とされている。保護部２２における凹所２４を挟んだ両側は、左右一対の庇部２５とされ、両庇部２５によってレバーロック部７６の幅方向両側が保護可能とされている（図７を参照）。両庇部２５には、上記のパネルロック部２３が含まれている。
【００２７】
雄ハウジング本体１２内におけるブロック部１５の上方には、図１に示すように、上下一対の雄サブハウジング収容部２６が前後方向に貫通して形成されている。雄ハウジング本体１２内における両雄サブハウジング収容部２６間には、両雄サブハウジング収容部２６を仕切る隔壁２７が幅方向に架け渡して形成されている。両雄サブハウジング収容部２６内には、後方から雄サブハウジング２８が挿入される。雄サブハウジング２８は、既述したハウジングロック部４８及びハウジングロック受け部４９と同様のロック構造３９によって雄サブハウジング収容部２６内に固定される。このとき、雄サブハウジング２８の前端は、ブロック部１５の前端よりもやや後方へ引っ込んで配置される。なお、両雄サブハウジング２８は、互いに同形同大とされている。また、雄ハウジング本体１２の後面には、上段の雄サブハウジング収容部２６の上方に、肉抜き部２９が凹み形成されている。ロックアーム１９の根元部分は、肉抜き部２９の上方を仕切る薄壁３０の前端に連結されている。
【００２８】
ブロック部１５及び雄サブハウジング２８には、複数のキャビティ３１が整列して形成されている。各キャビティ３１の内壁の下面には、撓み可能なランス３２が突出して形成されている。各キャビティ３１内には、後方から雄端子金具１００が挿入され、正規挿入された雄端子金具１００がランス３２によって弾性的に係止される。
【００２９】
雄端子金具１００は導電性の金属板を曲げ加工等して一体に成形され、筒状の箱部１０１と、箱部１０１の前端から前方へ突出する針状のタブ１０２と、箱部１０１の後端に連なるバレル部１０３とを有している。バレル部１０３は電線１０５の端末部にかしめ付けして接続されている。雄端子金具１００がキャビティ３１内に挿入されたときに、電線１０５が雄ハウジング１１の後面から後方へ引き出されるようになっている。また、各雄端子金具１００の前端は互いにほぼ同じ位置に揃えられている。
【００３０】
フード部１３の両側には、図６に示すように、前後方向に延びる左右一対のガイド溝３３が切り欠いて形成されている。ガイド溝３３には、両ハウジング１１、４１の嵌合に伴って前方からガイドリブ５３が嵌入され、これによって両ハウジング１１、４１の嵌合案内がなされるようになっている。また、フード部１３の両側には、前後方向に延びる左右一対の進入溝３４が切り欠いて形成されている。進入溝３４は、ガイド溝３３の下方に位置し、その溝幅がガイド溝３３よりも幅広とされている。進入溝３４には、両ハウジング１１、４１の嵌合に伴って前方から第１カムピン５２が進入するようになっている。また、雄ハウジング１１の両側面には、雄ハウジング本体１２とフード部１３とのほぼ境界位置に、レバー７０を軸支可能な左右一対の支軸３５が突出して形成されている。
【００３１】
レバー７０は合成樹脂製であって全体としてアーチ状をなし、図６及び図７に示すように、操作部７１と、操作部７１の両端から突出する左右一対のアーム部７２とからなる。レバー７０の上端部には、上端へ向けて徐々に後退するような形態をなす斜面７３が切り欠いて形成され、かつ、後述する本係止位置において略水平に配置される端面７９が斜面７３の後端に連続して形成されている。両アーム部７２には、支軸３５を受ける軸受け孔７４が貫通して形成されている。軸受け孔７４内に支軸３５を嵌合させると、レバー７０が雄ハウジング１１に跨って装着されるようになっている。かかるレバー７０は、操作部７１が雄ハウジング本体１２の前端側に位置してアーム部７２が傾倒姿勢をとる仮係止位置と、操作部７１が雄ハウジング本体１２の後端側に位置してアーム部７２が垂直姿勢をとる本係止位置とに回動可能とされている。両アーム部７２には、撓み可能な左右一対ずつの弾性係止片７５が切り欠いて形成されている。弾性係止片７５がフード部１３の両側外面に形成された係止片受け部３６及びガイド溝３３の溝面を弾性的に係止することにより、レバー７０が仮係止位置に回動規制状態に保持されるようになっている。
【００３２】
また、操作部７１には、レバーロック部７６が後方へ突出して形成されている。レバーロック部７６の上面は、上述した端面７９を構成している。そして、レバーロック部７６の後端部には、爪状のレバーロック本体７７が下向きに突出して形成されている。レバーロック本体７７がロックアーム１９のロック溝２０に弾性的に嵌り、かつレバーロック部７６の後端が凹所２４の奥端に当て止めされることにより、レバー７０が本係止位置に回動規制状態に保持されるようになっている。このとき、レバーロック部７６の略全体が凹所２４内に収容され、レバーロック部７６の左右両側が庇部２５で覆われるとともに、レバー７０の端面７９が保護部２２（庇部２５を含む）の上面にほぼ面一で連なるようになっている。
【００３３】
両アーム部７２の内面には、図２に示すように、カム溝７８が所定方向に延びるとともにアーム部７２の外周縁に開口して形成されている。カム溝７８は、有底の凹溝であって、入り口側に位置して直線状に延びる導入部７８Ａと、導入部７８Ａの終端からカム溝７８の奥端にかけて曲状に延びる作用部７８Ｂとからなる。作用部７８Ｂの溝幅は、導入部７８Ａの溝幅の２倍ほどもある幅広の形態とされている。そして、作用部７８Ｂの溝面のうち、雌ハウジング４１の嵌合側となる図示向かって右側の溝面は、両ハウジング１１、４１の嵌合過程で第１カムピン５２が摺動する往路側カム面７８Ｃとされ、作用部７８Ｂの溝面のうち、雌ハウジング４１の離脱側となる図示向かって左側の溝面は、両ハウジング１１、４１の離脱過程で後述する第２カムピン８６が摺動する復路側カム面７８Ｄとされている。
【００３４】
フード部１３内における段差部１４の上方空間は、ムービングプレート８０の組付空間３８とされている。ムービングプレート８０は合成樹脂製であって全体としてキャップ状をなし、フード部１３の組付空間３８に前方から挿入されて組み込まれる。詳しくはムービングプレート８０は、図１及び図７に示すように、組付空間３８の全体を覆うように配置される矩形平板状のプレート本体８１と、プレート本体８１の前端周縁から前方へ突出する周壁８２とを有している。
【００３５】
プレート本体８１の前面の上下方向中央部には、両ハウジング１１、４１の嵌合時に両雌サブハウジング４７間の隙間に進入して隔壁４６と前後方向で連なる嵌合片８３が前方へ突出して形成されている。雌サブハウジング４７の略前半部は、両ハウジング１１、４１の嵌合時に、嵌合片８３と周壁８２との間に嵌合状態に収容されるようになっている。そして、ムービングプレート８０は、フード部１３の開口側に位置する初期位置と、フード部１３の奥側に位置する嵌合位置との間を前後方向に移動可能とされている。ムービングプレート８０がフード部１３内を移動する過程では、周壁８２がフード部１３の内周面及び段差部１４上を摺動することにより、その移動案内がなされるようになっている。
【００３６】
プレート本体８１には、複数の位置決め孔８４が整列して形成されている。ムービングプレート８０が初期位置にあるときに、位置決め孔８４内にタブ１０２の先端部が位置決め状態で挿入され、これにより、タブ１０２の軸心がぶれるのが防止されるようになっている。そして、ムービングプレート８０が嵌合位置へ向けて移動するにしたがい、タブ１０２の位置決め孔８４から前方への突出量が次第に増加するようになっている。
【００３７】
また、周壁８２の両側外面の上下方向中央部には、左右一対の矩形台状をなすステージ部８５が突出して形成され、かつ両ステージ部８５上に、左右一対の第２カムピン８６が突出して形成されている。ステージ部８５は、ムービングプレート８０がフード部１３の組付空間３８に組み込まれたときに、第２カムピン８６とともに進入溝３４内に挿入され、ムービングプレート８０が移動する過程では進入溝３４の上下の溝縁を摺動するようになっている。
【００３８】
第２カムピン８６は、円柱形であって幅方向に沿った軸心を有し、第１カムピン５２と同形同大とされている。両ハウジング１１、４１の嵌合過程では、第２カムピン８６の周面の前端に第１カムピン５２の周面の前端が線当たり状に突き当たり、第１、第２カムピン５２、８６が前後に合体した状態となって、レバー７０のカム溝７８内に進入するようになっている。
【００３９】
実施形態１に係るレバー式コネクタの構造は上述の通りであり、次に、レバー式コネクタの作用を説明する。
雌サブハウジング４７及びタワー部４４の各キャビティ５０内に電線９５付きの雌端子金具９０を挿入するとともに、雌サブハウジング４７を対応する雌サブハウジング収容部４５に収容する。また、雄サブハウジング２８及びブロック部１５の各キャビティ３１内に電線１０５付きの雄端子金具１００を挿入するとともに、雄サブハウジング２８を対応する雄サブハウジング収容部２６に収容する。さらに、フード部１３の組付空間３８にムービングプレート８０を初期位置に組み込むとともに、雄ハウジング１１に対してレバー７０を仮係止位置に保持させる。このとき、第２カムピン８６は、進入溝３４及びカム溝７８を貫通して導入部７８Ａの終端に配置される。
【００４０】
次いで、図２に示すように、両ハウジング１１、４１を互いに正対させ、その状態から両ハウジング１１、４１を浅く嵌合させる。すると、図３に示すように、タワー部４４の略前半部が幅狭部１６内に適合して挿入されるとともに、雌サブハウジング４７の略前半部がムービングプレート８０内に適合して挿入され、かつ雌サブハウジング４７の前面がプレート本体８１に当接する。このとき、雄端子金具１００のタブ１０２の先端は、雌端子金具９０の接続部９１の入り口を臨む位置に配置される。また、第１カムピン５２がカム溝７８の導入部７８Ａの上縁に沿って移動したあと第２カムピン８６に突き当たり、第１、第２カムピン５２、８６が前後方向に並んで互いに合体される。この場合、第１、第２カムピン５２、８６は、相互の軸心を前後方向の同一軸線上に配置させつつ、当接位置を挟んで互いに対称な位置関係となる。そして、ガイドリブ５３がガイド溝３３に進入して弾性係止片７５と干渉し、弾性係止片７５が係止解除方向へ撓み変形することにより、レバー７０の本係止位置への回動操作が許容される。
【００４１】
上記の状態で、レバー７０を本係止位置へ向けて回動させる。すると、図４に示すように、第１カムピン５２が第２カムピン８６との合体状態を保ちつつカム溝７８の作用部７８Ｂの往路側カム面７８Ｃを摺動し、それに伴ってレバー７０と雌ハウジング４１との間にカム作用が発揮されて、雌ハウジング４１が雄ハウジング１１側へ低操作力で引き寄せられる。この間、第２カムピン８６は第１カムピン５２によって押動されながらカム溝７８の溝面とは非接触状態に保たれる。また、第２カムピン８６がカム溝７８内をその奥側へ移動するのに伴い、ステージ部８５が進入溝３４に沿って後退して、ムービングプレート８０が嵌合位置へ向けて移動する。すると、タブ１０２の先端部がムービングプレート８０の位置決め孔８４を通して雌端子金具９０の接続部９１内に進入する。
【００４２】
レバー７０が本係止位置に至ると、図１及び図５に示すように、レバーロック部７６が凹所２４内に進入してロックアーム１９に弾性的に係止される。このとき、ロックアーム１９の前端部がレバーロック部７６の根元部分を叩くことで、両ハウジング１１、４１が嵌合状態に至ったことを聴覚的に検知でき、良好なロックフィーリングを得ることができる。また、レバーロック部７６はその両側に配置された庇部２５によって保護状態に置かれるため、ここに手が触れてロックフィーリングを低下させることもない。
【００４３】
レバー７０が本係止位置に至ると同時に、ムービングプレート８０が嵌合位置に到達する。すると、プレート本体８１が雌ハウジング４１の前面と雄サブハウジング２８の前面との間に挟持されるとともに、雌雄の両端子金具９０、１００が正規深さで接続される。こうして両ハウジング１１、４１が正規嵌合された状態では、第１、第２カムピン５２、８６がカム溝７８の作用部７８Ｂの奥端側に嵌合状態で収容される。このとき、第１カムピン５２は作用部７８Ｂの往路側カム面７８Ｃに当接し、第２カムピン８６は作用部７８Ｂの復路側カム面７８Ｄに当接している。
【００４４】
こうして正規嵌合された両コネクタ１０、４０は、雌ハウジング４１の前方として、パネル２００の取付孔２１０にその表面側（自動車に適用される場合には車体の外側）から取り付けられる。このとき、仮に、レバー７０が本係止位置に至らずに半係止状態に留め置かれていると、レバー７０の端面７９が取付孔２１０の孔縁を摺動することで、レバー７０が本係止位置へ強制的に至らされる。したがって、両ハウジング１１、４１が半嵌合状態のまま留め置かれるのが防止される。パネル２００に正規に取り付けられた両コネクタ１０、４０は、雄ハウジング１１のフランジ部１７がパネル２００の表面側に当接するとともに、パネルロック部２３がパネル２００の裏面側を弾性的に係止することで、パネル２００に固定される。
【００４５】
一方、両ハウジング１１、４１を離脱させる際には、ロックアーム１９とレバーロック部７６との係止状態を解除した後、レバー７０を仮係止位置へ向けて戻り方向に回動させる。すると、第２カムピン８６が第１カムピン５２との合体状態を保ちつつカム溝７８の作用部７８Ｂの復路カム面７８Ｄを摺動し、それに伴ってステージ部８５が進入溝３４に沿って前進して、ムービングプレート８０が初期位置へ向けて移動する。この間、第１カムピン５２は第２カムピン８６に押動されながらカム溝７８の溝面とは非接触状態に保たれる。また、第１カムピン５２がカム溝７８内をその入り口側へ移動するのに伴い、雌ハウジング４１が雄ハウジング１１側から低操作力で引き離される。こうしてレバー７０が仮係止位置に至ると同時に、ムービングプレート８０が初期位置に戻り、両ハウジング１１、４１が互いに引き離される。
【００４６】
以上説明したように、本実施形態によれば、雌ハウジング４１に第１カムピン５２が形成され、ムービングプレート８０に第２カムピン８６が形成され、第１、第２カムピン５２、８６が互いに独立した軸心を有する形態とされ、第１カムピン５２が両ハウジング１１、４１の嵌合過程でカム溝７８の往路側カム面７８Ｃを摺動する位置に配置され、第２カムピン８６が両ハウジング１１、４１の離脱過程でカム溝７８の復路側カム面７８Ｄを摺動する位置に配置されているため、両ハウジング１１、４１の嵌合過程では、第１カムピン５２とカム溝７８の往路側カム面７８Ｃとの接触状態が確実に保たれ、両ハウジング１１、４１の離脱過程では、第２カムピン８６とカム溝７８の復路側カム面７８Ｄとの接触状態が確実に保たれる。したがって、両ハウジング１１、４１の嵌合過程では雌ハウジング４１が雄ハウジング１１側へ確実に引き寄せられ、両ハウジング１１、４１の嵌合動作の円滑性が確保される。また、両ハウジング１１、４１の離脱過程では雌ハウジング４１が雄ハウジング１１から確実に引き離され、両ハウジング１１、４１の離脱動作の円滑性が確保される。
【００４７】
また、往路側カム面７８Ｃには両ハウジング１１、４１の嵌合過程で第１カムピン５２のみが摺動するため、雌ハウジング４１が雄ハウジング１１側へより確実に引き寄せられる。また、復路側カム面７８Ｄには両ハウジング１１、４１の嵌合過程で第２カムピン８６のみが摺動するため、雌ハウジング４１が雄ハウジング１１からより確実に引き離される。さらに、カム溝７８が有底の凹溝とされているから、レバー７０の強度が脆弱になるのがより確実に防止される。
【００４８】
＜実施形態２＞
図１０は、本発明の実施形態２を示す。実施形態２では、第１、第２カムピン５２Ａ、８６Ａの形状が実施形態１とは異なっている。また、カム溝７８Ｇの溝幅が実施形態１よりも小さくなっている。その他の構造は、実施形態１と同様であり、重複する説明は省略する。
【００４９】
雌ハウジング４１に形成された第１カムピン５２Ａは、雌ハウジング４１の嵌合側となる略前半部が欠けた半円柱状をなし、図示向かって右側の面が略垂直に切り立ったストレート面５２Ｇとされている。一方、ムービングプレート８０に形成された第２カムピン８６Ａは、雄ハウジング１１の嵌合側となる略前半部が欠けた半円柱状をなし、図示向かって左側の面が略垂直に切り立ったストレート面８６Ｇとされている。
【００５０】
両ハウジング１１、４１が互いに嵌合されると、第１、第２カムピン５２Ａ、８６Ａの両ストレート面５２Ｇ、８６Ｇが前後方向で面当たり状に当接して、第１、第２カムピン５２Ａ、８６Ａが互いに合体される。合体状態にある第１、第２カムピン５２Ａ、８６Ａは、全体として円柱状をなしている。両ハウジング１１、４１の嵌合過程では、第１カムピン５２Ａがカム溝７８Ｇの作用部７８Ｂの往路側カム面７８Ｃを摺動して、両ハウジング１１、４１が互いに低操作力で嵌合される。一方、両ハウジング１１、４１の離脱過程では、第２カムピン８６Ａがカム溝７８Ｇの作用部７８Ｂの復路側カム面７８Ｄを摺動して、両ハウジング１１、４１が互いに低操作力で離脱される。
【００５１】
実施形態２によれば、第１、第２カムピン５２Ａ、８６Ａがストレート面５２Ｇ、８６Ｇを有することで合体状態において互いに円柱状をなすため、第１、第２カムピン５２Ａ、８６Ａ全体として嵌合・離脱方向に大きくなるのが回避される。その結果、第１、第２カムピン５２Ａ、８６Ａを受けるカム溝７８Ｇの溝幅が大きくなるのも回避され、ひいてはレバー７０の強度が脆弱になるのが防止される。
【００５２】
＜他の実施形態＞
本発明は上記記述及び図面によって説明した実施形態に限定されるものではなく、例えば次のような実施形態も本発明の技術的範囲に含まれる。
（１）レバーが、ハウジングに対して直線状に移動するスライド式のレバーであってもよい。
（２）コネクタがパネルに取り付けられないものであってもよい。
（３）レバーのアーム部が一枚板状をなすものであってもよい。
【符号の説明】
【００５３】
１０…雄コネクタ
１１…雄ハウジング
１３…フード部
４０…雌コネクタ
４１…雌ハウジング
５２、５２Ａ…第１カムピン
５２Ｇ…ストレート面
７０…レバー
７８、７８Ｇ…カム溝
７８Ｃ…往路側カム面（カム溝の往路側の溝面）
７８Ｄ…復路側カム面（カム溝の復路側の溝面）
８０…ムービングプレート
８４…位置決め孔
８６、８６Ａ…第２カムピン
８６Ｇ…ストレート面
９０…雌端子金具
１００…雄端子金具
１０２…タブ
【図１】
2011142050.tif 000003
【図２】
2011142050.tif 000004
【図３】
2011142050.tif 000005
【図４】
2011142050.tif 000006
【図５】
2011142050.tif 000007
【図６】
2011142050.tif 000008
【図７】
2011142050.tif 000009
【図８】
2011142050.tif 000010
【図９】
2011142050.tif 000011
【図１０】
2011142050.tif 000012